(57)【要約】【課題】安全かつ容易に花梗の末端を均等に切断する茎切機を提供する。【解決手段】茎切機は、装置本体１及び組立台３を備える。装置本体１の上端には、組立台３が取り付けられる。装置本体１及び組立台３の中心部には、互いに対応した収容孔１１，３１がそれぞれ形成される。装置本体１の収容孔１１には少なくとも１個のカッター２が取り付けられる。組立台３の収容孔３１には、スリーブ４が収容される。スリーブ４の中心部には、係入孔４１が形成されている。茎切機は、複数個のスリーブ４をさらに備える。スリーブ４は、穴径が異なる係入孔４１をそれぞれ有し、スリーブ４のうちの１個が組立台３の収容孔３１に収容される。【選択図】図１
0003210107.tif 000002
【実用新案登録請求の範囲】
【請求項１】
装置本体及び組立台を備えた茎切機であって、
前記装置本体の上端には、前記組立台が取り付けられ、
前記装置本体及び前記組立台の中心部には、互いに対応した収容孔がそれぞれ形成され、前記装置本体の前記収容孔には少なくとも１個のカッターが取り付けられ、
前記組立台の前記収容孔には、スリーブが収容され、
前記スリーブの中心部には、係入孔が形成されていることを特徴とする、
茎切機。
【請求項２】
前記装置本体及び前記組立台の少なくとも一側面には、固定槽が形成され、前記組立台の前記固定槽の槽底には穿孔が形成され、前記穿孔は、前記収容孔に連通し、前記装置本体及び前記組立台の前記固定槽には、位置決め片が固着され、前記位置決め片には、ねじ孔が形成され、前記ねじ孔は、前記組立台の前記穿孔に位置が対応し、前記ねじ孔には押付け部材が挿設され、前記押付け部材は、ねじ軸と、前記ねじ軸に接続した押点部と、を有し、前記押付け部材の前記ねじ軸が前記位置決め片の前記ねじ孔に螺着されると、前記ねじ軸の端部が前記組立台の前記穿孔に挿通されて前記スリーブの一側壁に当接されることを特徴とする請求項１に記載の茎切機。
【請求項３】
複数個のスリーブをさらに備え、前記スリーブは、穴径が異なる係入孔をそれぞれ有し、前記スリーブのうちの１個が前記組立台の前記収容孔に収容されることを特徴とする請求項１に記載の茎切機。
【考案の詳細な説明】
【技術分野】
【０００１】
本考案は、茎切機に関し、特に、安全かつ容易に花梗の末端を均等に切断する茎切機に関する。
【背景技術】
【０００２】
花卉の色は、環境の見た目を良くするために重要である。花農は交配育種方式により特定の花卉の色を特定の品種に導入し、数世代の育種を経て交配を行って色が異なる花卉を育てるが、交配育種過程に多くの労力と時間が必要であり、交配により育てる花卉の色は予想が困難であった。そのため本考案者は、様々な色の花卉が容易につくれる染色方法を開発した。
【０００３】
花卉の染色方法は、主に花卉の花梗末端をカッターナイフ、ハサミなどの切断工具により二等分し、花卉の花梗末端を染色容器の隣り合う収納槽内に挿通し、花卉を少なくとも二等分にした花梗末端を色が異なる染色液に浸して花卉を染色し、これにより様々な色の花卉を容易につくることができる。
しかし、カッターナイフ又はハサミにより花梗末端を切断する方式は時間が多くかかって効率が悪い上、作業を慎重に行わないと、作業者はカッターなどで切り傷などの怪我をしてしまう虞があった。特に、花梗の末端を均等に切断することは容易でなく、花卉の染色品質に悪影響を与える虞があった。
【考案の概要】
【考案が解決しようとする課題】
【０００４】
本考案の目的は、安全かつ容易に花梗の末端を均等に切断する茎切機を提供することにある。
【課題を解決するための手段】
【０００５】
上記課題を解決するために、本考案の第１の形態によれば、装置本体及び組立台を備えた茎切機であって、前記装置本体の上端には、前記組立台が取り付けられ、前記装置本体及び前記組立台の中心部には、互いに対応した収容孔がそれぞれ形成され、前記装置本体の前記収容孔には少なくとも１個のカッターが取り付けられ、前記組立台の前記収容孔には、スリーブが収容され、前記スリーブの中心部には、係入孔が形成されていることを特徴とする茎切機を提供する。
【０００６】
前記装置本体及び前記組立台の少なくとも一側面には、固定槽が形成され、前記組立台の前記固定槽の槽底には穿孔が形成され、前記穿孔は、前記収容孔に連通し、前記装置本体及び前記組立台の前記固定槽には、位置決め片が固着され、前記位置決め片には、ねじ孔が形成され、前記ねじ孔は、前記組立台の前記穿孔に位置が対応し、前記ねじ孔には押付け部材が挿設され、前記押付け部材は、ねじ軸と、前記ねじ軸に接続した押点部と、を有し、前記押付け部材の前記ねじ軸が前記位置決め片の前記ねじ孔に螺着されると、前記ねじ軸の端部が前記組立台の前記穿孔に挿通されて前記スリーブの一側壁に当接されることが好ましい。
【０００７】
複数個のスリーブをさらに備え、前記スリーブは、穴径が異なる係入孔をそれぞれ有し、前記スリーブのうちの１個が前記組立台の前記収容孔に収容されることが好ましい。
【考案の効果】
【０００８】
本考案の茎切機は、花梗の末端を切断する際、花梗をスリーブの係入孔に挿入した後、力を加えて花梗を装置本体へ向けて押動するだけで、花梗の末端を装置本体の収容孔内に取り付けたカッターにより均等に切断することができるため、花梗の切断作業の安全性が高い。
【図面の簡単な説明】
【０００９】
【図１】本考案の一実施形態に係る茎切機を示す分解斜視図である。
【図２】本考案の一実施形態に係る茎切機を示す斜視図である。
【図３】本考案の一実施形態に係る茎切機を示す断面斜視図である。
【図４】本考案の一実施形態に係る茎切機の使用状態の説明図である。
【考案を実施するための形態】
【００１０】
本考案の技術手段及びそれにより達成可能な効果を、より完全かつ明白に開示するために、開示した添付の図面及び符号と併せて本考案を以下で詳説する。
【００１１】
まず、図１〜図３を参照する。図１〜図３に示すように、本考案の一実施形態に係る茎切機は、少なくとも装置本体１と、少なくとも１個のカッター２と、組立台３と、少なくとも１個のスリーブ４と、位置決め片５とから構成されてなる。
【００１２】
装置本体１の中心部には、収容孔１１が長手方向に形成され、装置本体１の少なくとも一側面には、固定槽１２が長手方向に形成され、固定槽１２の槽底には少なくとも１個のロック孔１３が形成されている。
装置本体１の上端には、収容孔１１の長手方向に沿って所定の深さが形成される。収容孔１１の周側壁面には、少なくとも２個の対をなす嵌着溝１４が形成され、嵌着溝１４が収容孔１１と連通する。本実施形態では、２個の対をなす嵌着溝１４を２組成形し、装置本体１の周側の各隅部に装置本体１が長手方向に形成され、装置本体１の上下端を貫通するロック孔１５が形成される。
【００１３】
カッター２は、装置本体１の収容孔１１中に収容される。カッター２の両側は、装置本体１の対をなす２個の嵌着溝１４中に取り付けられて位置決めされる。本実施形態のカッター２は２個ある。２個のカッター２は、装置本体１の収容孔１１中で十字状に交差し、十字状に交差した２個のカッター２の２個の側部は、２組の互いに対をなす２個の嵌着溝１４中に位置決めされる。
【００１４】
組立台３は、装置本体１の上端に設置され、組立台３の中心部には収容孔３１が長手方向に形成される。収容孔３１は、装置本体１の中心部の収容孔１１に対応し、組立台３の少なくとも一側面には、固定槽３２が長手方向に形成される。組立台３の固定槽３２は、装置本体１の固定槽１２に対応する。
組立台３の固定槽３２の槽底には、穿孔３３が形成される。穿孔３３は、収容孔３１と連通し、組立台３の周側の各隅部には、組立台３の長手方向に沿ってロック孔３４が形成され、組立台３及び装置本体１の各隅部のロック孔３４，１５には、複数個の固定ピン３５が挿通される。複数個の固定ピン３５が組立台３及び装置本体１の各隅部のロック孔３４，１５に挿通されると、装置本体１及び組立台３が螺着固定され、装置本体１の下端から突出された各固定ピン３５の末端に脚部３６がそれぞれ螺着される。固定ピン３５はボルトでもよい。脚部３６は蝶ナットでもよい。
【００１５】
スリーブ４は、組立台３の収容孔３１中に収容される。スリーブ４の下端は、装置本体１の収容孔１１中のカッター２の上縁に当接されて位置決めされ、スリーブ４の中心部には、長手方向に沿って係入孔４１が形成されている。
本実施形態のスリーブ４は複数個ある。複数個のスリーブ４は、穴径が異なる係入孔４１をそれぞれ有し、径入孔４１には異なる直径を有する花卉の花梗６が挿通され、複数個のスリーブ４のうちの１個が組立台３の収容孔３１に収容される。
【００１６】
位置決め片５は、装置本体１及び組立台３の対応した固定槽１２，３２中に設置され、位置決め片５上には少なくとも１個のロック孔５１が形成され、装置本体１の固定槽１２の槽底のロック孔１３に対応し、ロック部材５２が位置決め片５及び装置本体１の固定槽１２のロック孔５１，１３に挿設され、装置本体１及び組立台３の固定槽１２，３２中に位置決め片５が締着される。
ロック部材５２は、ボルトであり、位置決め片５には、組立台３の穿孔３３に対応したねじ孔５３が形成され、押付け部材５４を有する。押付け部材５４は、ねじ軸５４１と、ねじ軸５４１に接続された押点部５４２と、を含み、ねじ軸５４１が位置決め片５のねじ孔５３に螺着され、ねじ軸５４１の端部が組立台３の穿孔３３に挿通され、ねじ軸５４１の端部がスリーブ４の一側壁に強固に当接されて位置決めされる。
【００１７】
図４を併せて参照する。図４に示すように、実際に使用する際、花卉の花梗６の直径に応じて係入孔４１の穴径のスリーブ４を選択し、組立台３の収容孔３１中にスリーブ４を挿設すると、スリーブ４下端が装置本体１の収容孔１１内のカッター２の上縁に当接されて位置決めされ、押付け部材５４を締め付けると押付け部材５４のねじ軸５４１によりスリーブ４が強固に位置決めされる。
本実施形態の装置本体１下端の各隅部に設けた脚部３６を介し、本考案は、卓上面又は作業台上に強固に取付けられ、花卉の花梗６をスリーブ４の係入孔４１に挿通すると、花梗６の末端が装置本体１の収容孔１１内のカッター２に接触され、力が加えると花卉の花梗６が押下され、花梗６の末端が十字状のカッター２により四等分に切断され、花梗６を押下すると、花梗６末端の切断深さを容易に調整することができる。花梗６を切断した後、花梗６をスリーブ４から挿抜すると、別の花梗６の切断作業を行うことができる。
【００１８】
上述したことから分かるように、本考案の茎切機は、安全かつ容易に花梗６を切断することができる上、花梗６の切断過程において使用者がカッターで手を怪我して切り傷などが生じることを防ぎ、花梗６の切断作業の効率を高めることができる。特に、花梗６末端を複数個に均等に切断し、様々な色の染色液を花卉に均一に吸収させることができるため、花卉の染色品質を高めることができる。
花梗６を均等に切り分ける数を変えるときは、装置本体１及び組立台３の各隅部に螺着された固定ピン３５を外して組立台３と装置本体１とを分離し、使用者が装置本体１の嵌着溝１４中に取り付けるカッター２の数を増減したり交換したりした後、組立台３と装置本体１とを組立て、花梗６を均等に切り分ける数を容易に変えることができる。
【符号の説明】
【００１９】
１      装置本体
２      カッター
３      組立台
４      スリーブ
５      位置決め片
６      花梗
１１    収容孔
１２    固定槽
１３    ロック孔
１４    嵌着溝
１５    ロック孔
３１    収容孔
３２    固定槽
３３    穿孔
３４    ロック孔
３５    固定ピン
３６    脚部
４１    係入孔
５１    ロック孔
５２    ロック部材
５３    ねじ孔
５４    押付け部材
５４１  ねじ軸
５４２  押点部
【図１】
0003210107.tif 000003
【図２】
0003210107.tif 000004
【図３】
0003210107.tif 000005
【図４】
0003210107.tif 000006